(57)【要約】  【課題】  ファスナーチエンの端部へ取り付けて上止具が形成できる封鎖止具と、封鎖止具に対応して施錠できるスライダーとからなるファスナーの施錠装置を提供する。  【解決手段】  ファスナーチエン２と封鎖止具２０とは別体で、ファスナーチエン２を被着物に合わせてカットして縫着し、その端部に封鎖止具２０を被せて縫着してファスナー２を封鎖でき、封鎖止具２０に設けた施錠孔３０を備えた連結片２３と、これに対応できるスライダー１の胴体７の前面へ突出する施錠孔３０を備えた連結突片１１とを接合させて南京錠などで施錠させることができ、ファスナーチエンの端部を隠蔽して体裁がよく、安心してバッグなどに使用できる。  【選択図】  図１
2006081822.tif 000002
【特許請求の範囲】
【請求項１】
柔軟で縫製可能な取付板２１に凸起状の基台２２を設け、該基台２２に施錠孔３０を設けた連結片２３を形成し、基台２２の裏側に凹溝状の収容溝２６を設けてファスナーチエン２のファスナーエレメント３が収容可能に形成した封鎖止具２０と、スライダー１の胴体７に連結片２３に対応する施錠補助具１０を装着したスライダー１とからなることを特徴とするスライドファスナーの施錠装置。
【請求項２】
封鎖止具２０は基台２２の前端に突出する連結片２３を設け、スライダー１は胴体７の前端に連結片２３と重合可能な施錠補助具１０としての連結突片１１を突設し、該連結突片１１に施錠孔３０を設けてなる請求項１記載のスライドファスナーの施錠装置。
【請求項３】
封鎖止具２０は基台２２の上面に連結片２３を立設し、スライダー１は胴体７の引手取付部１３に先端に連結片２３を挿入可能な挿入孔１５を備えた施錠補助具１０としての引手１２を装着してなる請求項１記載のスライドファスナーの施錠装置。
【請求項４】
封鎖止具２０は基台２２に設置した収容溝２６の前端縁部２７をスライダー１の胴体７における肩口１６側の外郭と同一形状に形成してなる請求項１記載のスライドファスナーの施錠装置。
【請求項５】
封鎖止具２０は基台２２の前端に設置した連結片２３の下端に隣接してスライダー１の胴体７に突設した連結突片１１の先端が挿入できるガイド溝２５を設けてなる請求項１記載のスライドファスナーの施錠装置。
【請求項６】
封鎖止具２０の取付板２１における横幅は、ファスナーチエン２の幅よりも大きくファスナーチエン２を被覆可能に形成してなる請求項１記載のスライドファスナーの施錠装置。
【発明の詳細な説明】
【技術分野】
【０００１】
この発明は、スライドファスナーのファスナーチエンをスライダーによって閉鎖したとき、ファスナーチエンの端部に設置した施錠機構を備えた封鎖止具と、この封鎖止具に接合し施錠することができるスライダーとから形成したスライドファスナーの施錠装置に関するものである。
【背景技術】
【０００２】
従来、図９に示すように、ファスナーチエンの一端に合成樹脂製の上止具を射出成形手段によって成形して取り付け、この上止具の形態は、表面に一対の締結部材に横設した係合子が挿通できる横方向に貫通する貫通孔を設けた接合子を立設し、スライダーを摺動させてスライダーと上止具とを突き合わせたとき、左右に重ね合わさる接合子の貫通孔に締結部材の雌雄形の係合子を左右両側から挿通して係合させることによって、ファスナーチエンを封鎖させるスライドファスナーの封鎖装置が知られている。
【特許文献１】実公平７−２１１２７号公報
【発明の開示】
【発明が解決しようとする課題】
【０００３】
前述の図９に示したスライドファスナーの封鎖装置は、ファスナーチエンの端部に予め合成樹脂製の上止具を射出成形手段によって成形して取り付けてあるため、様々な長さの被着物に合わせて縫製業者が自由にファスナーチエンをカットして縫製することができない。特にカバン分野においては、ファスナーチエンの両端部を生地で被覆して縫製するため、上止具があると邪魔であり、ファスナーチエンに予め封鎖装置を備えさせたスライドファスナーを用いることができない。
【０００４】
この発明は、上述の問題点を考慮して発明されたものであり、この発明のうち請求項１記載の発明は、スライドファスナーにおけるファスナーチエンを被着物に合わせてカットし、ファスナーチエンの端部へ簡単に縫製によって取り付けて上止具を形成することができる封鎖止具と、この封鎖止具に対応してスライダーの胴体に施錠補助具を装着して施錠機構を備えたスライドファスナーの施錠装置を提供することが主たる目的である。
【０００５】
請求項２および３記載の発明は、それぞれ請求項１記載の発明の目的に加え、それぞれ封鎖止具の形態を特定し、請求項２の場合はスライダーに設置した施錠補助具に対応する連結部材を封鎖止具の前端に設置し、また請求項３の場合は封鎖止具の上面に設置してスライダーと対応させ、簡易かつ的確に施錠ができるスライドファスナーの施錠装置を提供することが目的である。
【０００６】
請求項４記載の発明は、請求項１記載の発明の目的に加え、封鎖止具の前端をスライダーの胴体の肩口側の形状と一致させ、封鎖止具とスライダーとの間に間隙を生じない形に形成して、非噛合状態のファスナーエレメントを封鎖止具が隠蔽して安全な形態のスライドファスナーの施錠装置を提供することが目的である。
【０００７】
請求項５および６記載の発明は、それぞれ請求項１記載の発明の目的に加え、請求項５の場合は、封鎖止具とスライダーの胴体とを的確かつ安定した状態で係合させることができ、また請求項６の場合は封鎖止具の横幅をファスナーチエンよりも幅広く形成して安定した状態で取り付けることができるスライドファスナーの施錠装置を提供することが目的である。
【課題を解決するための手段】
【０００８】
前記の目的を達成するため、この発明のうち請求項１記載の発明は、スライドファスナーに設置する施錠装置は、上止具を形成する封鎖止具２０とスライダー１とから形成し、封鎖止具２０は柔軟性を備え、かつ縫製ができる取付板２１から形成し、この取付板２１には凸起状に隆起する基台２２を設け、この基台２２に横方向へ貫通する施錠孔３０を設けた連結片２３を一体に形成し、基台２２の裏側に凹溝状を呈する収容溝２６を設けてファスナーチエン２のファスナーエレメント３が収容できるように形成し、スライダー１の胴体７には封鎖止具２０の連結片２３と対応することができる施錠補助具１０を装着したスライドファスナーの施錠装置を主な構成とするものである。
【０００９】
請求項２記載の発明は、請求項１記載の発明の構成に加え、封鎖止具２０は基台２２の前端すなわちスライダー１の胴体７と対向する側において、一方側へ偏倚して突出する連結片２３を設け、スライダー１は胴体７の前端すなわち基台２２と対向する側に、連結片２３と重合できる施錠補助具１０としての連結突片１１を他方側へ偏倚させて突出状に設け、この連結突片１１に施錠孔３０を横向きに設けたスライドファスナーの施錠装置である。
【００１０】
請求項３記載の発明は、請求項１記載の発明の構成に加え、封鎖止具２０は基台２２の上面中央部分に上方へ突出する連結片２３を設け、スライダー１は胴体７の引手取付部１３に施錠補助具１０としての引手１２を取り付け、引手１２は先端に封鎖止具２０の連結片２３が挿入できる挿入孔１５を設けたスライドファスナーの施錠装置である。
【００１１】
請求項４記載の発明は、請求項１記載の発明の構成に加え、封鎖止具２０は基台２２の裏側に設置した収容溝２６の前端縁部２７の形状をスライダー１の胴体７における肩口１６側の外郭形状と合致するように同一形状に形成したスライドファスナーの施錠装置である。
【００１２】
請求項５記載の発明は、請求項１記載の発明の構成に加え、封鎖止具２０は基台２２の前端に設置した連結片２３の下端において、連結片２３に隣接する形でスライダー１の胴体７に突出状に形成した連結突片１１の先端下面が挿入できるガイド溝２５を設けたスライドファスナーの施錠装置である。
【００１３】
請求項６記載の発明は、請求項１記載の発明の構成に加え、封鎖止具２０の取付板２１の大きさは、横幅がファスナーチエン２の幅よりも大きく、ファスナーチエン２を被覆できる大きさから形成したスライドファスナーの施錠装置である。
【発明の効果】
【００１４】
この出願の発明の効果として、請求項１記載の発明は、柔軟で縫製可能な取付板に凸起状の基台を設け、該基台に施錠孔を設けた連結片を形成し、基台の裏側に凹溝状の収容溝を設けてファスナーチエンのファスナーエレメントが収容可能に形成した封鎖止具と、スライダーの胴体に連結片に対応する施錠補助具を装着したスライダーとから形成したことによって、下記の効果を奏する。
【００１５】
ファスナーチエンを被着物の開口部の長さに応じて自由にカットして、開口部に縫製により取り付けることができ、ファスナーチエンを無駄にすることがなく、しかもファスナーチエンの端部に取り付ける封鎖止具の裏面にファスナーエレメントを的確に収容できるので、取付強度も強く、またファスナーチエンの端部を表面から隠蔽し体裁もよく、さらに封鎖止具とスライダーとを施錠具を用いて施錠することができ、安心してバッグなどに使用できる効果がある。
【００１６】
請求項２記載の発明は、請求項１記載の発明の効果に加え、封鎖止具は基台の前端に突出する連結片を設け、スライダーは胴体の前端に連結片と重合可能な施錠補助具としての連結突片を突設し、該連結突片に施錠孔を設けたことによって、封鎖止具の基台とスライダーの胴体とを安定した状態で衝合させ、的確に施錠させることができる効果がある。
【００１７】
請求項３記載の発明は、請求項１記載の発明の効果に加え、封鎖止具は基台の上面に連結片を立設し、スライダーは胴体の引手取付部に先端に連結片を挿入可能な挿入孔を備えた施錠補助具としての引手を装着してことによって、封鎖止具の基台とスライダーの胴体とを引手を利用して簡易かつ確実に接合させ、的確に施錠させることができる効果がある。
【００１８】
請求項４記載の発明は、請求項１記載の発明の効果に加え、封鎖止具は基台に設置した収容溝の前端縁部をスライダーの胴体における肩口側の外郭と同一形状に形成したことによって、ファスナーチエンの端部における非噛合部分のファスナーエレメントを確実に封鎖止具とスライダーにより隠蔽するので、防犯上からも安全でバッグなどに利用できる効果がある。
【００１９】
請求項５記載の発明は、請求項１記載の発明の効果に加え、封鎖止具は基台の前端に設置した連結片の下端に隣接してスライダーの胴体に突設した連結突片の先端が挿入できるガイド溝を設けたことによって、スライダーの胴体に突設した連結突片を簡易に基台へガイドし、安定した状態の衝合が達成できる効果がある。
【００２０】
請求項６記載の発明は、請求項１記載の発明の効果に加え、封鎖止具の取付板における横幅は、ファスナーチエンの幅よりも大きくファスナーチエンを被覆可能に形成したことによって、ファスナーチエンの端部を封鎖止具により安定した状態で被着物に縫製することができ、開口部端部の取付強度を向上させる効果があるなど、この発明が奏する効果は、きわめて顕著である。
【発明を実施するための最良の形態】
【００２１】
この発明のスライドファスナーの施錠装置は、スライダー１を備えたファスナーチエン２と、上止具に相当する封鎖止具２０とを別体に形成する。ファスナーチエン２は各種のファスナーエレメント３をファスナーテープ４の一側縁に取り付け、スライダー１はポリアミド、ポリアセタール、ポリプロピレン、ポリブチレンテレフタレートなどの熱可塑性樹脂を用いて射出成形手段で成形するか、または亜鉛合金、アルミニウム合金などの金属を用いてダイカスト成形手段によって成形する。封鎖止具２０はオレフィン系エラストマーなどの熱可塑性エラストマーを用いて射出成形によって成形し、バッグなどの被着物３３に縫製によって取り付けることができる。
【００２２】
封鎖止具２０は、平板状の取付板２１に対し表面へ凸起状に隆起する基台２２を設置し、基台２２から前端すなわちスライダー１と対向する側へ突出する連結片２３を偏倚した状態で設置し、この連結片２３の中央に施錠具３２の錠杆３６を挿通できる施錠孔３０を横向きに設け、連結片２３の下端中央寄りの下面において連結片２３に隣接してスライダー１の胴体７に突設した連結突片１１が挿入できるガイド溝２５を凹設する。また基台２２の裏側にはファスナーチエン２の端部における噛合していない左右のファスナーエレメント３を収容できる凹溝状に形成した収容溝２６を設ける。
【００２３】
一方、スライダー１は胴体７の肩口１６から前方へ突出する施錠補助具１０としての連結突片１１を設けて、封鎖止具２０の連結片２３と重合させることができる形に形成し、連結突片１１には連結片２３の施錠孔３０に対応する施錠孔３０を横向きに設け、連結突片１１の後端から胴体７上にかけて引手取付部１３を連設し、この引手取付部１３に引手１２を揺動自在に装着して、スライダー１をファスナーエレメント３上を摺動できるように形成する。
【００２４】
封鎖止具２０は、バッグなどの被着物３３の開口部３５の長さに合わせてカットしたファスナーチエン２をファスナーテープ４の側縁を開口部３５に取り付け、ファスナーチエン２の終端すなわち上止具を取り付ける部位に、ファスナーチエン２の端部を被覆する形で封鎖止具２０の取付板２１を、ファスナーチエン２の上面とバッグなどの被着物３３の生地３７とで挟持する形で縫製して取り付ける。このとき封鎖止具２０の収容溝２６内にファスナーチエン２の端部における噛合していない左右のファスナーエレメント３を嵌入させて平坦状に取り付け、スライダー１を摺動させると封鎖止具２０の基台２２に衝合して停止する。連結突片１１と連結片２３とが重合したとき、施錠孔３０に南京錠などの施錠具３２の錠杆３６を挿通して施錠させて用いる。
【実施例１】
【００２５】
図１〜４に示す実施例１のスライドファスナーの施錠装置は、ファスナーチエン２と封鎖止具２０とから形成し、封鎖止具２０は熱可塑性エラストマーを用いて成形して縫製ができる形に成形し、封鎖止具２０はファスナーチエン２の幅よりも大きくファスナーチエン２を被覆できる平板状の取付板２１から形成し、取付板２１の前端すなわちスライダー１と対向する側へ斜傾状に隆起し突出する凸起状の基台２２を設け、この基台２２の前端にスライダー１と対面して対向面へ突出し、かつ中心線から片側へ偏倚した連結片２３を設け、この連結片２３の中心に施錠具３２の錠杆３６が挿通できる施錠孔３０を横向きに設け、連結片２３の内面すなわちスライダー１の連結突片１１と接触する面は先端の肉厚が薄く斜面状を呈し、連結片２３の下端の中心線寄りの下面に隣接してスライダー１の胴体７の先端に突設した連結突片１１が嵌入できる凹溝状のガイド溝２５を設け、基台２２の裏側には図２，３に示すように、ファスナーチエン２の端部における噛合していない左右のファスナーエレメント３を単に揃えて、平坦状に収容できる一定長さの凹溝状の収容溝２６を設ける。
【００２６】
スライダー１は、胴体７の肩口１６側の前端が円弧状を呈する形に形成し、胴体７の前端から前方へ連結片２３に対応する施錠補助具１０としての連結突片１１を片側へ偏倚する形で突設し、連結突片１１の中心には施錠具３２の錠杆３６が挿通できる施錠孔３０を横向きに設け、連結突片１１の内面は連結片２３の内面に接触し易いように先端が図４に示すように肉厚が薄く斜面状に形成して先端を封鎖止具２０のガイド溝２５へ挿入できる形に形成する。また連結突片１１の後端に引手１２を装着できる引手取付部１３を胴体７上へ一体に連設して各種形態の引手１２を取り付け、ファスナーエレメント３上を前後に摺動できるように形成する。
【００２７】
封鎖止具２０は上記のとおり形成し、バッグなどの被着物３３に用いる場合は、各種のバッグなどの被着物３３における開口部３５の長さに合わせてファスナーチエン２をカットし、このカットしたファスナーチエン２を図３，８に示すように、バッグなどの被着物３３の生地３７の裏側へ縫着して取り付け、この際封鎖止具２０は生地３７とファスナーチエン２との間で挟持する形で取り付け、ファスナーチエン２の端部における噛合していない左右のファスナーエレメント３を揃えて収容溝２６に嵌入し、全体が平坦状になるように収容して固定する。
【００２８】
被着物３３に取り付けられた封鎖止具２０は、ファスナーチエン２に装着したスライダー１を開放されたファスナーチエン２を閉鎖する方向へ引手１２を持って摺動させて封鎖止具２０の基台２２に当接させる。このとき胴体７に施錠補助具１０として突設した連結突片１１がガイド溝２５に挿入して連結片２３と重合し、双方の施錠孔３０が重なったところで、図２，８に示すように南京錠などの施錠具３２の錠杆３６を差し込んで施錠することができるので安全である。
【実施例２】
【００２９】
図５に示す実施例２のスライドファスナーの施錠装置は、封鎖止具２０の取付板２１に設けた基台２２の裏側に凹設した収容溝２６の前端縁部２７の形状に特徴があり、収容溝２６の前端縁部２７を、ファスナーチエン２上を摺動して当接するスライダー１の頭部の形状に合わせ、例えば胴体７の上翼板８における肩口１６側の外郭形状、例えば胴体の頭部を円弧状に形成した場合、封鎖止具２０の収容溝２６の前端縁部２７を円弧状に切り欠き、胴体７の頭部と収容溝２６の前端縁部２７とが合致し、胴体７を収容溝２６に没入させて、ファスナーチエン２の端部における噛合していない左右のファスナーエレメント３が表面へ露呈しないように形成する。他の構成は前記実施例１と同一であるが、このように構成することによって、スライダー１と封鎖止具２０との間からファスナーエレメント３を故意に引き出すことができないので、防犯上きわめて安全である。
【実施例３】
【００３０】
図６に示す実施例３のスライドファスナーの施錠装置は、図５に示した実施例２の変形例を示したものであり、ファスナーチエン２に装備したスライダー１の胴体７は、上翼板８と下翼板９との肩口１６側の前端の形状を略直線状に形成し、封鎖止具２０の収容溝２６の前端縁部２７も略直線状に形成することによって、ファスナーチエン２上を摺動するスライダー１の胴体７と収容溝２６の前端縁部２７とを完全に密接させ、ファスナーチエン２の端部における噛合していない左右のファスナーエレメント３が表面へ露呈しないように形成する。また上翼板８と案内柱部分が多少前方へ突出する場合は、収容溝２６の前端縁部２７を上翼板８の先端に合わせて切り込み、スライダー１と封鎖止具２０との間からファスナーエレメント３を引き出せないように形成する。
【実施例４】
【００３１】
図７に示す実施例４のスライドファスナーの施錠装置は、封鎖止具２０の取付板２１上に直方体状に隆起する基台２２を形成し、基台２２の中心に、施錠孔３０を備えた頂端が円弧状で上方へ突出する連結片２３を一体に立設し、この基台２２の裏側にファスナーチエン２の端部の噛合していない左右のファスナーエレメント３を収容できる凹溝状の収容溝２６をスライダー１と対向する方向に設ける。スライダー１は胴体７の上翼板８上に引手取付部１３を設け、この引手取付部１３に施錠補助具１０としての引手１２を取り付け、引手１２は先端に封鎖止具２０の連結片２３が挿入できる大きさの挿入孔１５を設け、揺動自在に取り付ける。取り付けられた引手１２はスライダー１を閉鎖方向へ摺動させた後、胴体７の前方へ倒伏させることによって、引手１２を連結片２３に挿入した後、施錠孔３０に施錠具３２の錠杆３６を挿通して施錠し、引手１２の抜脱を阻止する。なお胴体７の肩口１６側の形状と封鎖止具２０における収容溝２６の前端縁部２７の形状を図５，６に示した実施例のように密接する形態に形成することもできる。
【産業上の利用可能性】
【００３２】
この発明のスライドファスナーの施錠装置は、各種タイプのバッグにおける開閉部分に取り付けて使用するスライドファスナーに用い、簡単に南京錠などの施錠具によって施錠できるように形成して用いる。
【図面の簡単な説明】
【００３３】
【図１】スライドファスナーの施錠装置の分解斜視図である。
【図２】同上施錠装置の施錠時における一部切欠した側面図である。
【図３】同上施錠装置における封鎖止具の正面図である。
【図４】同上施錠装置の施錠時における平面図である。
【図５】同上施錠装置の変形例を示す平面図である。
【図６】同上施錠装置の他の変形例を示す平面図である。
【図７】同上施錠装置の更に他の変形例を示す斜視図である。
【図８】同上施錠装置を用いたバッグの斜視図である。
【図９】公知の施錠装置の斜視図である。
【符号の説明】
【００３４】
１            スライダー
２            ファスナーチエン
３            ファスナーエレメント
７            胴体
１０            施錠補助具
１１            連結突片
１２            引手
１３            引手取付部
１５            挿入孔
１６            肩口
２０            封鎖止具
２１            取付板
２２            基台
２３            連結片
２５            ガイド溝
２６            収容溝
２７            前端縁部
３０            施錠孔
【図１】
2006081822.tif 000003
【図２】
2006081822.tif 000004
【図３】
2006081822.tif 000005
【図４】
2006081822.tif 000006
【図５】
2006081822.tif 000007
【図６】
2006081822.tif 000008
【図７】
2006081822.tif 000009
【図８】
2006081822.tif 000010
【図９】
2006081822.tif 000011